(57)【要約】  【課題】建物の出入口や各部屋間を開閉するための各種戸のカバー構造に関し、使用者の好みに応じて自由にかつ容易に独自の個性的なデザインや表示を施すことができ、しかも損傷や汚染、劣化が少なく、かつ安価な各種戸のカバー構造を実現する。  【解決手段】回転式ドア、引き戸その他の各種戸において、戸本体パネルの表面および／又は裏面に、透明・半透明その他の合成樹脂製の不皺シートを重ねると共に、その外周縁を戸本体パネルの上下左右の側面に折り曲げて、折り曲げ面を戸本体パネルの前記側面に接着剤又は接着テープによって接着固定してなることを特徴とする。【選択図】  図１
0003128914.tif 000002
【実用新案登録請求の範囲】
【請求項１】
回転式ドア、引き戸その他の各種戸において、
戸本体パネルの表面および／又は裏面に、透明・半透明その他の合成樹脂製の不皺シートを重ねると共に、
その外周縁を戸本体パネルの上下左右の側面に折り曲げて、折り曲げ面を戸本体パネルの前記側面に接着剤又は接着テープによって接着固定してなること、
を特徴とする各種戸のカバー構造。
【請求項２】
ノブ若しくは凹取っ手部、鍵穴又はドアヒンジ部を避けるための切り込み又は切除部を前記不皺シートに設けてあることを特徴とする請求項１に記載の各種戸のカバー構造。
【請求項３】
前記の不皺シートの内側において、写真、絵画、文章その他の表示手段を戸本体パネルの表側又は裏側に取付け固定してあることを特徴とする請求項１または請求項２に記載の各種戸のカバー構造。
【請求項４】
前記の写真、絵画、文章その他の表示手段の表面又は前記の不皺シートの表面若しくは裏面に、螢光塗料又は蓄光手段で識別表示が行われていることを特徴とする請求項１、請求項２または請求項３に記載の各種戸のカバー構造。
【請求項５】
前記の不皺シートの内部が気密構造となるように密封してあることを特徴とする請求項１から請求項４までのいずれかの項に記載の各種戸のカバー構造。
【請求項６】
回転式ドア、引き戸その他の各種戸に取付け固定する各種戸のカバーであって、
戸本体パネルの表面又は裏面に重ねるための、透明・半透明その他の合成樹脂製の不皺シートの外周縁を戸本体パネルの上下左右の側面側に折り曲げてあり、この折り曲げ面を戸本体パネルの前記側面に接着剤又は接着テープによって接着固定可能としてあることを特徴とする各種戸のカバー。
【請求項７】
戸本体パネルのノブ若しくは凹取っ手部、鍵穴又はドアヒンジ部を避けるための切り込み又は切除部を前記不皺シートに設けてあることを特徴とする請求項７に記載の各種戸のカバー。
【請求項８】
前記の不皺シート自体に写真、絵画、文章その他の表示を印刷してあることを特徴とする請求項６又は請求項７に記載の各種戸のカバー。
【考案の詳細な説明】
【技術分野】
【０００１】
本考案は、建物の出入口や各部屋間を開閉するための各種戸のカバー構造に関する。出入口や各部屋間を開閉する手段であれば、回転構造のドアもスライド構造の引き戸なども含まれるものとする。
【背景技術】
【０００２】
実用新案登録第3001630 号に記載のように、ドア表面の塗装やドア本体を交換する必要なく美観を高め得る表面材貼替えドアを提供する目的で、表面側にデザイン模様を施し裏面側に貼着材を施してなるシート体が、既設飾りモールを剥がした後のドア本体の表面に貼着され、新規飾りモールが前記シート体の端縁を覆って取り付けられている構造が提案されている。
【特許文献１】実用新案登録第3001630 号
【考案の開示】
【考案が解決しようとする課題】
【０００３】
しかしながら、このような表面材貼替えドアは、既設のドアの表面全面に合成樹脂製のシートを貼着する構成であるため、ドアの広い面全面に樹脂シートを貼着する際に皺や気泡が発生しないように均一貼着するのに熟練を要し、貼着費用が高価となる。新たに貼着した樹脂シートの端縁がドア本体から剥がれ出すと、埃が入り込んだりして汚染され、見苦しくなる。樹脂シートは、表面側に予めデザイン模様を施してあるため、各使用者が各自の好みに応じて独自のデザインや表示を施すことができない。
【０００４】
このように、従来の表面材貼替えドアは自由度に欠けるなどの問題が多い。本考案の技術的課題は、このような問題に着目し、使用者の好みに応じて自由にかつ容易に独自の個性的なデザインや表示を施すことができ、しかも損傷や汚染、劣化が少なく、かつ安価な各種戸のカバー構造を実現することにある。
【課題を解決するための手段】
【０００５】
本考案の技術的課題は次のような手段によって解決される。請求項１は、回転式ドア、引き戸その他の各種戸において、
戸本体パネルの表面および／又は裏面に、透明・半透明その他の合成樹脂製の不皺シートを重ねると共に、
その外周縁を戸本体パネルの上下左右の側面に折り曲げて、折り曲げ面を戸本体パネルの前記側面に接着剤又は接着テープによって接着固定してなること、
を特徴とする各種戸のカバー構造である。
【０００６】
このように、回転式ドア、引き戸その他の各種戸において、戸本体パネルの少なくとも表面に、透明・半透明その他の「合成樹脂製の不皺シート」（以下「不皺シート」と略す）を重ねると共に、その外周縁を戸本体パネルの上下左右の側面に折り曲げて、折り曲げ面を戸本体パネルの前記側面に接着剤又は接着テープによって接着固定してなる構造であるため、各種戸の表面だけでなく、上下左右の側面までカバーされるので、シート端縁から剥離が生じても各種戸の表面側に現れず、見苦しくない。その結果、長期間の使用に耐えられ、長寿命となる。
【０００７】
また、戸本体パネルの表面に全面接着するのではなく、必要に応じて要所だけ接着すれば足りるので、使用者が自由に独自のデザインや表示を不皺シートと戸本体との間に挟持することができる。しかも、上下左右の側面の接着を剥離すれば、デザインや表示の交換も容易で、雰囲気や表示内容を変えることも可能となる。さらに、使用者自身でも装着したり交換でき、安価に実現できる。例えばオフィスなどのように、各種戸の室内側を重視する場合には、各種戸の裏面を不皺シートでカバーすることもできる。また、各種戸の表裏両面をカバーしてもよい。
【０００８】
請求項２は、ノブ若しくは凹取っ手部、鍵穴又はドアヒンジ部を避けるための切り込み又は切除部を前記不皺シートに設けてあることを特徴とする請求項１に記載の各種戸のカバー構造である。このように、ノブ若しくは凹取っ手部、鍵穴又はドアヒンジ部を避けるための切り込み又は切除部を前記不皺シートに設けてあるため、ノブやドアヒンジ部などを取り外さなくても、カバー装着が可能となり、素人の使用者でも容易に、日曜大工の一環として実現できる。また、戸本体パネルが規格品の場合は、凹取っ手部や鍵穴の部分をいちいち切除する手間が省ける。
【０００９】
請求項３は、前記の不皺シートの内側において、写真、絵画、文章その他の表示手段を戸本体パネルの表側又は裏側に取付け固定してあることを特徴とする請求項１または請求項２に記載の各種戸のカバー構造である。このように、前記の不皺シートの内側において、写真、絵画、文章その他の表示手段を戸本体パネルの表側又は裏側に取付け固定してあるため、各種戸としての機能に加えて、写真、絵画、文章などを観賞したり、情報の伝達にも兼用でき、付加価値が高まる。
【００１０】
請求項４は、前記の写真、絵画、文章その他の表示手段の表面又は前記の不皺シートの表面若しくは裏面に、螢光塗料又は蓄光手段で識別表示が行われていることを特徴とする請求項１、請求項２または請求項３に記載の各種戸のカバー構造である。このように、前記の写真、絵画、文章その他の表示手段の表面又は前記の不皺シートの表面若しくは裏面に、螢光塗料や蓄光手段で識別表示が行われていると、ホテルやマンション、アパートなどのように同じ形態のドアが多数並んでいる場合に、蛍光塗料や蓄光手段で各種の識別表示や個性的な表示をしておくと、夜間に酔って帰宅したような場合によそのドアと間違うのを防止でき、また挙動不審者の発見にも有効である。
【００１１】
請求項５は、前記の不皺シートの内部が気密構造となるように密封してあることを特徴とする請求項１から請求項４までのいずれかの項に記載の各種戸のカバー構造である。このように、前記不皺シートの内部が気密構造となるように、外気と通じる部分を密封することによって、外気が容易に出入り不可能となるため、海辺に近い地域において塩分が入り込んで戸本体パネルに塩害を与えると言った問題を未然に防止でき、戸本体パネルが長寿命となる。微細な粉塵も進入不能となるため、透明シートの透明度が低下したり、汚染されたりするといった問題も抑制でき、いつまでも美観を維持できる。
【００１２】
請求項６は、回転式ドア、引き戸その他の各種戸に取付け固定する各種戸のカバーであって、戸本体パネルの表面又は裏面に重ねるための、透明・半透明その他の合成樹脂製の不皺シートの外周縁を戸本体パネルの上下左右の側面側に折り曲げてあり、この折り曲げ面を戸本体パネルの前記側面に接着剤又は接着テープによって接着固定可能としてあることを特徴とする各種戸のカバーである。このように、戸本体パネルの表面又は裏面に重ねるための、透明・半透明その他の合成樹脂製の不皺シートの外周縁を戸本体パネルの上下左右の側面側に折り曲げてあり、この折り曲げ面を戸本体パネルの前記側面に接着剤や接着テープで接着固定可能としてあるため、回転式ドア、引き戸その他の各種戸に取付け固定することによって、使用者自身で各種戸をカバーすることができ、請求項１と同様な効果が得られる。
【００１３】
請求項７は、戸本体パネルのノブ若しくは凹取っ手部、鍵穴又はドアヒンジ部を避けるための切り込み又は切除部を前記不皺シートに設けてあることを特徴とする請求項６に記載の各種戸のカバーである。このように、戸本体パネルのノブ若しくは凹取っ手部、鍵穴又はドアヒンジ部を避けるための切り込み又は切除部を前記不皺シートに予め設けてあるため、請求項６に記載の不皺カバーシートを戸本体パネルに被せて位置合わせするだけで、容易に取付け固定することができ、面倒な作業が省けて便利である。
【００１４】
請求項８は、前記の不皺シート自体に写真、絵画、文章その他の表示を印刷してあることを特徴とする請求項６又は請求項７に記載の各種戸のカバーである。請求項３のように表示手段を戸本体パネルに取付け固定する手法と部分的に併用することも不可能ではない。このように、前記の不皺シート自体に写真、絵画、文章その他の表示を印刷してあると、請求項３のように、別の写真、絵画、文章その他の表示手段を取付ける必要性がなく、不皺シートの取付け作業か楽になる。表示手段の表示内容を変更したい場合は、不皺シートを取り外して、別の表示内容と交換できることは言うまでもない。
【考案の効果】
【００１５】
請求項１のように、回転式ドア、引き戸その他の各種戸において、戸本体パネルの少なくとも表面に、透明・半透明その他の合成樹脂製の不皺シートを重ねると共に、その外周縁を戸本体パネルの上下左右の側面に折り曲げて、折り曲げ面を戸本体パネルの前記側面に接着剤又は接着テープによって接着固定してなる構造であるため、各種戸の表面だけでなく、上下左右の側面までカバーされるので、シート端縁から剥離が生じても各種戸の表面側に現れず、見苦しくない。その結果、長期間の使用に耐えられ、長寿命となる。
【００１６】
また、戸本体パネルの表面に全面接着するのではなく、必要に応じて要所だけ接着すれば足りるので、使用者が自由に独自のデザインや表示を不皺シートと戸本体との間に挟持することができる。しかも、上下左右の側面の接着を剥離すれば、デザインや表示の交換も容易で、雰囲気や表示内容を変えることも可能となる。さらに、使用者自身でも装着したり交換でき、安価に実現できる。例えばオフィスなどのように、各種戸の室内側を重視する場合には、各種戸の裏面を不皺シートでカバーすることもできる。また、各種戸の表裏両面をカバーしてもよい。
【００１７】
請求項２のように、ノブ若しくは凹取っ手部、鍵穴又はドアヒンジ部を避けるための切り込み又は切除部を前記不皺シートに設けてあるため、ノブやドアヒンジ部などを取り外さなくても、カバー装着が可能となり、素人の使用者でも容易に、日曜大工の一環として実現できる。また、戸本体パネルが規格品の場合は、凹取っ手部や鍵穴の部分などをいちいち切除する手間が省ける。
【００１８】
請求項３のように、前記の不皺シートの内側において、写真、絵画、文章その他の表示手段を戸本体パネルの表側又は裏側に取付け固定してあるため、各種戸としての機能に加えて、写真、絵画、文章などを観賞したり、情報の伝達にも兼用でき、付加価値が高まる。
【００１９】
請求項４のように、前記の写真、絵画、文章その他の表示手段の表面又は前記の不皺シートの表面若しくは裏面に、螢光塗料や蓄光手段で識別表示が行われていると、ホテルやマンション、アパートなどのように同じ形態のドアが多数並んでいる場合に、蛍光塗料や蓄光手段で各種の識別表示や個性的な表示をしておくと、夜間に酔って帰宅したような場合によそのドアと間違うのを防止でき、また挙動不審者の発見にも有効である。
【００２０】
請求項５のように、前記不皺シートの内部が気密構造となるように、外気と通じる部分を密封することによって、外気が容易に出入り不可能となるため、海辺に近い地域において塩分が入り込んで戸本体パネルに塩害を与えると言った問題を未然に防止でき、戸本体パネルが長寿命となる。微細な粉塵も進入不能となるため、透明シートの透明度が低下したり、汚染されたりするといった問題も抑制でき、いつまでも美観を維持できる。
【００２１】
請求項６のように、戸本体パネルの表面又は裏面に重ねるための、透明・半透明その他の合成樹脂製の不皺シートの外周縁を戸本体パネルの上下左右の側面側に折り曲げてあり、この折り曲げ面を戸本体パネルの前記側面に接着剤や接着テープで接着固定可能としてあるため、回転式ドア、引き戸その他の各種戸に取付け固定することによって、使用者自身で各種戸をカバーすることができ、請求項１と同様な効果が得られる。
【００２２】
請求項７のように、戸本体パネルのノブ若しくは凹取っ手部、鍵穴又はドアヒンジ部を避けるための切り込み又は切除部を前記不皺シートに予め設けてあるため、請求項６に記載の不皺カバーシートを戸本体パネルに被せて位置合わせするだけで、容易に取付け固定することができ、面倒な作業が省けて便利である。
【００２３】
請求項８のように、前記の不皺シート自体に写真、絵画、文章その他の表示を印刷してあると、請求項３のように、別の写真、絵画、文章その他の表示手段を取付ける必要性がなく、不皺シートの取付け作業か楽になる。表示手段の表示内容を変更したい場合は、不皺シートを取り外して、別の表示内容と交換できることは言うまでもない。
【考案を実施するための最良の形態】
【００２４】
次に本考案による各種戸のカバー構造が実際上どのように具体化されるか実施形態を説明する。図１は本考案による各種戸のカバー構造の一実施例を示す斜視図で、（１）は不皺カバーシートを戸本体パネルに実装した状態、（２）は実装前の不皺カバーシートの斜視図である。
【００２５】
（１）図において、戸本体パネルは不皺シートでカバーされているため、戸本体パネル自体は外部には現れず、不皺シートが透明又は不透明の場合に透けて見えるだけである。ただし、ノブ１やドアを閉じた際のロック用の出没突起２、鍵穴Ｋ、チェーンロック部Ｒ、蝶番３などは露出している。４は不皺シートのドア表面側で、その上側に上側面カバー部５が現れ、右側に右側面カバー部６が現れている。斜視図であるため、戸本体パネルの下側とヒンジ側は、不皺シートが現れていない。
【００２６】
この不皺シートを戸本体パネルに装着する前の状態を見ると、（２）図のようになり、前記のように戸本体パネルの表面側に装着される表面カバー部４と上側面カバー部５と右側面カバー部６の他に、下側面カバー部７とヒンジ側側面カバー部８を有している。ただし、下側面カバー部７とヒンジ側側面カバー部８は、表面カバー部４の背部に透けて見えることになる。９は、ノブ１を挿入できるように、予め切り込みを入れてある部分である。また、ヒンジ側側面カバー部８には、蝶番３を嵌め込めるように切り込み又は切除部３ｃを設けてある。Ｋｃは鍵穴部用の窓穴、Ｒｃはチェーンロック部用の窓穴である。
【００２７】
（２）図から明らかなように、戸本体パネルの上下左右の側面に接着される部分５〜８は、表面カバー部４に対し、ほぼ直角に予め折り曲げられている。従来のように戸本体パネルに貼着する合成樹脂製のシートの場合は、薄くかつ柔軟性があるため、本考案のように直角に折り曲げた状態を維持することは不可能である。したがって、本考案における合成樹脂製の不皺シートの場合は、直角に折り曲げた状態を維持できる程度のシート厚と剛性を有していることが必要である。その結果、戸本体パネルに装着した状態において、皺や気泡が発生したりする恐れもない。前記不皺シートには、戸本体パネルのノブ１、鍵穴Ｋ、チェーンロック部Ｒ並びにドアヒンジ３を避けるための切り込みや切除部９、Ｋｃ、Ｒｃ、３ｃを前記不皺シートに設けてある。
【００２８】
（２）図のように予め直角に折り曲げた製品は、本考案の不皺カバーシートを製造する業者において大量に製作しておいてもよいが、不皺シートを購入して各地域における設備業者やサービス業者が製作してもよい。ただし、各種戸の使用者が自身で製作することは困難である。なお、ｔは両面接着テープであるが、図示のように、各側面カバー部５、７、８、６の内面に予め接着しておいてもよいし、戸本体パネルに装着する際に接着してもよい。
【００２９】
図２（１）は、図１（２）の不皺カバーシートを展開して示した斜視図であり、（２）は、（１）図におけるＡ部の拡大図である。展開した状態では、戸本体パネルの表面部をカバーするための表面カバー部４の上下左右の外端縁に上下左右の側面カバー部５、７、８、６は同一面内に存在することになるが、理解し易いように、各側面カバー部５、７、８、６を幾分折り曲げた状態で示してある。表面カバー部４と各側面カバー部５、７、８、６との間の実線Ｌは、図１（１）（２）のように直角に折り曲げられる部分である。
【００３０】
上下左右の側面カバー部５、７、８、６それぞれの間の直角の領域ａ・ｂ・ｃ・ｄは、不皺シートを直角に切除することによって、各側面カバー部５、７、８、６を直角に折り曲げ易くしてある。本考案の場合、不皺シートのカバー体を戸本体パネルに取付け固定するには、各側面カバー部５、７、８、６の裏面に接着剤を塗布するか、両面接着テープｔ又はＴを介して、戸本体パネルの上下左右の側面に接着固定する。ただし、表面カバー部４は面積が広いため、その要所要所を戸本体パネルに接着したい場合は、両面接着テープｔ、Ｔなどによって接着することも可能である。なお、Ｔは、長い両面接着テープ、ｔは短くカットした両面接着テープである。
【００３１】
図２のように展開した状態の不皺シートを製造業者から購入して、各地域における設備業者やサービス業者が図１（２）のように各側面カバー部５、７、８、６を直角に折り曲げることも可能である。図１（２）のように各側面カバー部５、７、８、６を直角に折り曲げた状態の不皺シートカバー体を戸本体パネルに取付け固定する際は、蝶番３を切除部又は切り込み３ｃ中に嵌め込むと共に、ドアのノブ１を切り込み部９に挿通してから、各側面カバー部５、７、８、６の裏面を接着剤や両面接着テープｔ、Ｔで戸本体パネルの上下左右の側面に接着し固定する。
【００３２】
その後で、前記の切り込み部９における余分の領域をカットし除去する。この際、カットした後が残って見苦しい場合は、カット部分の上に化粧シートを貼り重ねて、隠すこともできる。また、前記のドアロック用の出没突起２を切除部２ｃに位置合わせして、突起２が出没可能とする。また鍵穴部用の窓穴Ｋｃやチェーンロック部用の窓穴Ｒｃに、鍵穴Ｋやチェーンロック部Ｒを位置合わせし挿入する。なお、出没突起２が出没可能にするための切除部２ｃや鍵穴用窓穴Ｋｃ、チェーンロック部用の窓穴Ｒｃは、予め切除しておいてもよいし、不皺シートの側面カバー部５、７、８、６を接着固定してから、切除してもよい。
【００３３】
以上のように、戸本体パネルの表面側を不皺シートでカバーするが、戸本体パネルの裏面側を不皺シートでカバーしてから、全く同様にして、不皺シートの上下左右の側面カバー部５、７、８、６を戸本体パネルの上下左右の側面に接着固定することもできる。
【００３４】
また、以上のようにして不皺シートで戸本体パネルをカバーする際に、戸本体パネルと不皺シートとの間に、写真や絵画、文章その他の表示シートを挟んだ状態で固定することができる。このとき、写真や絵画、文章その他の表示は紙や合成樹脂製のシートなどに表現されている場合が多いが、この表示シートが自重で落下しないように、両面接着テープなどで戸本体パネル側に要所を接着固定するのがよい。
【００３５】
不皺シート自体の内面又は表面に写真や絵画、文章その他の表示を予め印刷しておくこともできる。このとき、印刷されていない透明領域の内側に、前記ような写真や絵画、文章その他の表示を戸本体パネルとの間に挟持することも可能である。なお、不皺シートの表面若しくは裏面又は表示シートに蛍光塗料で各種の識別表示をしておくと、夜間に有効である。例えば、ホテルやマンション、アパートなどのように似たようなドアが多数存在する場合に、蛍光塗料で各種の識別表示をしたり、個性的な表示をしておくと、夜間に酔って帰宅した場合に自他のドアを間違うのを防止できる。挙動不審者の発見にも有効である。
【００３６】
付近の自然環境が悪い場合は、前記の不皺シートの内部が外気と連通しないように、不皺シートの内側を気密構造とし、外気に通じる部分を密封するのが有効である。こうして、不皺シートの内部に外気が出入り不能とすることにより、塩分を含んだ空気が不皺シートの内側に入り込んで戸本体パネルに塩害を与えるなどの問題を未然に抑止できる。また、不皺シートの内部に微細な粉塵が入り込んで、不皺シートの透明度が低下したり、汚染されたりするなどの問題も抑制でき、いつまでも美観を維持できる。
【００３７】
以上は、回転式のドアに本考案を適用した場合の実施例であるが、日本式の引き戸にも本考案を適用できる。引き戸の場合は、蝶番３が存在しないため、図１（２）のように、蝶番３を避けるための切除部３ｃを設ける必要性は無い。ノブ１、ロック用の出没突起２、鍵穴Ｋ、チェーンロック部Ｒは存在しないので、これらのための切り込みや切除部も不要である。ノブに代わって凹状の彫り込み取っ手を有しているため、この凹取っ手を避けるための切除部を設ける必要がある。
【００３８】
この切除部は、不皺シートに予め設けておいてもよいが、引き戸に取付け後の不皺シートカバー体に、凹取っ手に位置合わせしてからカットし切除してもよい。引き戸の場合も、戸本体パネルへの不皺シートカバー体の取付け方は、回転ドアの場合と全く同じであって、上下左右に設けた直角の側面カバー部５、７、８、６を引き戸本体パネルの上下左右の側面に接着し固定する。このような引き戸の場合にも、同様な要領で裏面側も不皺シートでカバーできることは言うまでもない。
【産業上の利用可能性】
【００３９】
以上のように、本考案によると、皺や気泡が発生しないような不皺シートの上下左右を折り曲げて、戸本体パネルの上下左右の側面に接着固定することによって、戸本体パネルの表裏を不皺シートでカバーする構造であるため、容易に取付けたり取り外したりでき、しかも使用者の好みに応じて自由にかつ容易に独自のデザインや表示を施すことができ、個性的な表現が可能となる。しかも、損傷や汚染、劣化が少なく、かつ安価に実現できる。
【図面の簡単な説明】
【００４０】
【図１】本考案による各種戸のカバー構造の一実施例を示す斜視図で、（１）は戸本体パネルに実装した状態、（２）は実装前の不皺シートの斜視図である。
【図２】（１）図は、図１（２）の不皺シートカバー体を展開して示した斜視図であり、（２）は、（１）図におけるＡ部の拡大図である。
【符号の説明】
【００４１】
１  ノブ
２  ロック用の出没突起
３  蝶番
３ｃ  蝶番用の切除部又は切り込み
４  不皺シートのドア表面側
５  上側面カバー部
６  右側面カバー部
７  下側面カバー部
８  ヒンジ側側面カバー部
ｔ・Ｔ  両面接着テープ
９  ノブ用の切り込み
ａ・ｂ・ｃ・ｄ  上下左右の側面カバー部間の直角の切除領域
【図１】
0003128914.tif 000003
【図２】
0003128914.tif 000004
【手続補正書】
【提出日】平成18年11月21日(2006.11.21)
【手続補正１】
【補正対象書類名】実用新案登録請求の範囲
【補正対象項目名】請求項７
【補正方法】変更
【補正の内容】
【請求項７】
戸本体パネルのノブ若しくは凹取っ手部、鍵穴又はドアヒンジ部を避けるための切り込み又は切除部を前記不皺シートに設けてあることを特徴とする請求項６に記載の各種戸のカバー。